(57)【要約】【課題】ハードウェア構成を複雑にすることなく、印刷枚数の増加に応じて印刷濃度を容易に補正できるとともに、かつ印刷濃度の補正量の設定の変更が容易に行える画像形成装置を提供する。【解決手段】ＳＲＡＭ１７には、少なくとも１つの基準印刷枚数と、各基準印刷枚数に個別に対応付けられ、静電潜像を形成する画素の露光量に関する少なくとも１つの露光レベル情報とを含む露光レベル情報テーブルが記憶されている。ＭＰＵ１１は、印刷枚数が基準印刷枚数を超えるごとに、その基準印刷枚数に対応付けられた露光レベル情報に基づいて、露光ユニットが感光ドラムの表面に静電潜像を形成する際の画素の露光量を変更する。【選択図】図１
2009199012.tif 000002
【特許請求の範囲】
【請求項１】
感光ドラムと、前記感光ドラムの表面に静電潜像を形成するための光を照射する露光ユニットとを有する印刷部と、
少なくとも１つの基準印刷枚数と、前記各基準印刷枚数に個別に対応付けられ、前記静電潜像を形成する画素の露光量に関する少なくとも１つの露光レベル情報とを記憶する記憶部と、
印刷枚数が前記基準印刷枚数を超えるごとに、その基準印刷枚数に対応付けられた前記露光レベル情報に基づいて、前記露光ユニットが前記感光ドラムの前記表面に前記静電潜像を形成する際の前記画素の露光量を変更する制御部と、を備えることを特徴とする画像形成装置。
【請求項２】
請求項１に記載の画像形成装置において、
前記記憶部に記憶されている前記少なくとも１つの露光レベル情報は、印刷枚数が前記基準印刷枚数を超えるごとに、前記静電潜像を形成する前記画素の露光量が段階的に増加されるように設定されていることを特徴とする画像形成装置。
【請求項３】
請求項１又は請求項２に記載の画像形成装置において、
操作を受け付ける操作部をさらに備え、
前記制御部は、前記操作部を介して受け付けた前記操作に応じて、前記記憶部に記憶された前記基準印刷枚数及び前記露光レベル情報を更新することを特徴とする画像形成装置。
【請求項４】
請求項１ないし請求項３のいずれかに記載の画像形成装置において、
用紙から画像を読み取る読取部をさらに備え、
前記制御部は、前記印刷部に所定のテスト印刷を行わせ、そのテスト印刷が行われた前記用紙のテスト画像が前記読取部によって読み取られたときに、前記テスト画像の印刷濃度に基づいて、前記露光レベル情報に基づいて決定された前記画素の露光量を補正することを特徴とする画像形成装置。
【請求項５】
請求項４に記載の画像形成装置において、
操作部と、表示部とをさらに備え、
前記制御部は、印刷枚数が所定枚数に到達したときに、印刷濃度の調節を促すメッセージを前記表示部に表示させ、前記操作部を介して印刷濃度の調節の指示が入力された場合に、前記印刷部に前記テスト印刷を行わせることを特徴とする画像形成装置。
【請求項６】
請求項１ないし請求項５のいずれかに記載の画像形成装置において、
前記印刷部はモノクロ印刷を行うモノクロ印刷部であることを特徴とする画像形成装置。
【請求項７】
請求項１ないし請求項５のいずれかに記載の画像形成装置において、
前記印刷部は、カラー印刷を行うカラー印刷部であり、前記感光ドラム及び前記露光ユニットをブラック、シアン、マゼンタ及びイエローの各色ごとに４組備え、
前記制御部は、ブラックに関する前記露光量について行った前記変更又は前記補正と同様な割合で、シアン、マゼンタ及びイエローに関する前記露光量について前記変更又は前記補正を行うことを特徴とする画像形成装置。
【請求項８】
請求項１ないし請求項５のいずれかに記載の画像形成装置において、
前記印刷部は、カラー印刷を行うカラー印刷部であり、前記感光ドラム及び前記露光ユニットをブラック、シアン、マゼンタ及びイエローの各色ごとに４組備え、
前記印刷部は、ブラック、シアン、マゼンタ及びイエローの各色ごとに独立して前記露光量についての前記変更又は前記補正を行うことを特徴とする画像形成装置。
【発明の詳細な説明】
【技術分野】
【０００１】
本発明は、トナー転写式の画像形成装置に関する。
【背景技術】
【０００２】
この種の画像形成装置では、印刷枚数が増えるにつれて印刷濃度が低下する傾向があり、問題となっている。
【０００３】
この点に関し、特許文献１には、レーザプリンタにおいて印刷枚数が所定の値を超えるごとに、露光時間を決める遅延回路を切り替えることにより露光時間を長くしていき、これによって印刷濃度の低下をカバーする技術が開示されている（請求項２、段落［００２８］等）。
【特許文献１】特開２００６−８８３５０号公報
【発明の開示】
【発明が解決しようとする課題】
【０００４】
しかし、特許文献１に記載の技術では、遅延回路の切り替えによって露光時間を調節する構成であるため、露光時間の調節のためには複数の遅延回路を設ける必要があり、ハードウェア構成が複雑になる。また、各遅延回路により決定される露光時間を変更するためには、遅延回路の構成を変更する必要があり、露光時間の設定の変更が容易でない。
【０００５】
そこで、本発明の解決すべき課題は、ハードウェア構成を複雑にすることなく、印刷枚数の増加に応じて印刷濃度を容易に補正できるとともに、かつ印刷濃度の補正量の設定の変更が容易に行える画像形成装置の提供である。
【課題を解決するための手段】
【０００６】
上記の課題を解決するため、本発明に係る画像形成装置は、感光ドラムと、前記感光ドラムの表面に静電潜像を形成するための光を照射する露光ユニットとを有する印刷部と、少なくとも１つの基準印刷枚数と、前記各基準印刷枚数に個別に対応付けられ、前記静電潜像を形成する画素の露光量に関する少なくとも１つの露光レベル情報とを記憶する記憶部と、印刷枚数が前記基準印刷枚数を超えるごとに、その基準印刷枚数に対応付けられた前記露光レベル情報に基づいて、前記露光ユニットが前記感光ドラムの前記表面に前記静電潜像を形成する際の前記画素の露光量を変更する制御部とを備える。
【０００７】
また本発明に係る画像形成装置において、前記記憶部に記憶されている前記少なくとも１つの露光レベル情報は、印刷枚数が前記基準印刷枚数を超えるごとに、前記静電潜像を形成する前記画素の露光量が段階的に増加されるように設定されている。
【０００８】
また本発明に係る画像形成装置において、操作を受け付ける操作部をさらに備え、前記制御部は、前記操作部を介して受け付けた前記操作に応じて、前記記憶部に記憶された前記基準印刷枚数及び前記露光レベル情報を更新する。
【０００９】
また本発明に係る画像形成装置において、用紙から画像を読み取る読取部をさらに備え、前記制御部は、前記印刷部に所定のテスト印刷を行わせ、そのテスト印刷が行われた前記用紙のテスト画像が前記読取部によって読み取られたときに、前記テスト画像の印刷濃度に基づいて、前記露光レベル情報に基づいて決定された前記画素の露光量を補正する。
【００１０】
また本発明に係る画像形成装置において、操作部と、表示部とをさらに備え、前記制御部は、印刷枚数が所定枚数に到達したときに、印刷濃度の調節を促すメッセージを前記表示部に表示させ、前記操作部を介して印刷濃度の調節の指示が入力された場合に、前記印刷部に前記テスト印刷を行わせる。
【００１１】
また本発明に係る画像形成装置において、前記印刷部はモノクロ印刷を行うモノクロ印刷部である。
【００１２】
また本発明に係る画像形成装置において、前記印刷部は、カラー印刷を行うカラー印刷部であり、前記感光ドラム及び前記露光ユニットをブラック、シアン、マゼンタ及びイエローの各色ごとに４組備え、前記制御部は、ブラックに関する前記露光量について行った前記変更又は前記補正と同様な割合で、シアン、マゼンタ及びイエローに関する前記露光量について前記変更又は前記補正を行う。
【００１３】
また本発明に係る画像形成装置において、前記印刷部は、カラー印刷を行うカラー印刷部であり、前記感光ドラム及び前記露光ユニットをブラック、シアン、マゼンタ及びイエローの各色ごとに４組備え、前記印刷部は、ブラック、シアン、マゼンタ及びイエローの各色ごとに独立して前記露光量についての前記変更又は前記補正を行う。
【発明の効果】
【００１４】
本発明によれば、印刷枚数が基準印刷枚数を超えるごとに、その基準印刷枚数に対応付けられた露光レベル情報に基づいて、露光ユニットが感光ドラムの表面に静電潜像を形成する際の画素の露光量が変更される。それ故、印刷枚数の増加に伴う印刷濃度の低下等の不都合を回避できる。露光量の変更は、記憶部に記憶された露光レベル情報に基づいて制御部の制御により行われるため、ハードウェア構成を複雑にすることなく、印刷枚数の増加に応じて印刷濃度を容易に補正できる。また、記憶部に記憶されている基準印刷枚数及び露光レベル情報を更新することにより、ハードウェア構成を変更することなく、印刷枚数と露光量の補正量との関係を容易に変更できる。
【００１５】
本発明によれば、印刷枚数の増加に伴って露光量が段階的に増加されるため、印刷枚数の増加により印刷濃度が低下するのを防止できる。
【００１６】
本発明によれば、操作部に対する操作により、記憶部に記憶された基準印刷枚数及び露光レベル情報を容易に更新できる。
【００１７】
本発明によれば、記憶部に記憶された露光レベル情報に基づいて決定された露光量が、テスト印刷によるテスト画像の読み取り結果に基づいて補正されるため、装置ごとの特性のバラツキ等に応じて印刷濃度を的確に補正できる。
【００１８】
本発明によれば、印刷枚数が所定枚数に到達したときに印刷濃度の調節を促すメッセージが表示されるため、印刷枚数に応じた適切なタイミングでテスト印刷を用いた露光量の補正を行える。
【００１９】
本発明によれば、印刷枚数の増加に伴うモノクロ印刷の印刷濃度の低下等を簡単な構成により効果的に防止できる。
【００２０】
本発明によれば、ブラックに関する露光量について行った変更又は補正と同様な割合で、シアン、マゼンタ及びイエローに関する露光量について変更又は補正が行われる。このため、シアン、マゼンタ及びイエローについては印刷枚数の増加に伴う露光量の変更又は補正に関する独自の情報等を備える必要がなく、構成の簡略化が図れる。
【００２１】
本発明によれば、ブラック、シアン、マゼンタ及びイエローの各色ごとに独立して露光量についての変更又は補正が行われるため、印刷枚数の増加に応じて、各色の特性に応じたきめ細かな印刷濃度の補正を行える。
【発明を実施するための最良の形態】
【００２２】
図１は本発明の一実施形態に係る画像形成装置としてのファクシミリ複合機（以下、単に「複合機」という）１のブロック図である。なお、本実施形態では本発明に係る画像形成装置を複合機１に適用した場合について説明するが、本発明に係る画像形成装置はトナー転写式の印刷部を備えた任意の画像形成装置に適用できる。
【００２３】
ＭＰＵ１は、制御部としてのＭＰＵ（Micro Processing Unit）１１、ＮＣＵ（Network Control Unit）１２、モデム（MODEM）１３、読取部１４、操作パネル１５、ＲＯＭ（Read Only Memory）１６、記憶部としてのＳＲＡＭ（Static Random Access Memory）１７、画像メモリ１８、及び印刷部１９等を備えている。この複合機１に備えられる機能には、プリンタ機能、ファクシミリ機能、コピー機能、及びスキャナ機能等が含まれる。
【００２４】
ＭＰＵ１１は、複合機１の制御を統括するものであり、ソフトウェアにより動作する。ＮＣＵ１２は、アナログ又はデジタルの公衆電話回線網２１との回線の接続等を行うハードウェアであり、必要に応じてモデム１３を公衆電話回線網２１と接続する。モデム１３は、ファクシミリ通信が可能なファクシミリモデムから構成されている。
【００２５】
読取部１４は、原稿からの画像の読み取りに用いられる。操作パネル１５は、複合機１の操作のために用いられるものであり、キーボード、液晶表示部等を備える。ＲＯＭ１６には、ＭＰＵ１１に読み込まれる各種ソフトウェア及び設定データ等が保存されている。ＳＲＡＭ１７には、電話帳データ等が記憶されている。またＳＲＡＭ１７には、後述する露光レベル情報テーブル及びテスト印刷情報がそれぞれ記憶される記憶領域１７１，１７２が設けられている。画像メモリ１８は、ファクシミリで送信及び受信される画像データ、読取部１４によって読み取られた画像データ等が保存される。
【００２６】
印刷部１９は、読取部１４により原稿から読み取られた画像データ、ファクシミリで受信された画像データ、及び、図示しないローカルネットワーク等を介して他の情報端末から与えられた印刷データ等を用紙に印刷する。この印刷部１９は、トナー転写式のモノクロ印刷部であり、図２に示すように、感光ドラム３１、帯電ユニット３２、露光ユニット３３、現像ユニット３４、転写ローラ３５、クリーニングユニット３６、及び定着ローラ３７等を備えている。
【００２７】
感光ドラム３１は、表面に感光体が付与されており、図示しない駆動機構により矢印４１に示す方向に回転される。帯電ユニット３２は、感光ドラム３１の表面を一様に帯電させる。露光ユニット３３は、一様に帯電された感光ドラム３１の表面に光を照射することにより、印刷データに応じた静電潜像を形成する。このとき、静電潜像を形成する各画素には、露光ユニット３３により所定の光が所定の露光量で光が照射される。また露光ユニット３３としては、露光用の光の光源としてレーザー発生デバイスを用いるもの、あるいは、ＬＥＤ（Light Emitting Diode）デバイスを用いるもの等が用いられる。
【００２８】
現像ユニット３４は、感光ドラム３１の表面に形成された静電潜像にトナーを付着させて現像する現像ローラ３４１を備えている。転写ローラ３５は、該転写ローラ３５と感光ドラム３１との間を用紙３８が矢印４２で示す方向に通過するときに、トナーの付着によって感光ドラム３１に表面に形成されたトナー画像を用紙３８に転写させる。クリーニングユニット３６は、トナー転写後に感光ドラム３１の表面に残ったトナーの除去、及び電荷の除去を行う。
【００２９】
トナー画像が転写された用紙３８は、定着ローラ３７と補助ローラ３９との間を通される。このとき、定着ローラ３７は、用紙３８に転写されたトナーを加熱して溶融させることにより、トナーを用紙３８に定着させる。
【００３０】
ここで、この種の印刷部１９では、図３のグラフ中の実戦で示す曲線４３に示すように、印刷枚数の増加に伴って印刷濃度（印字の濃さ）が徐々に低下していく問題があった。この点について本願発明者らは、研究の結果、感光ドラム３１の表面に静電潜像を形成する際の各画素に対する露光量を印刷枚数の増加に伴って増加させていくことにより、印刷濃度の低下を改善できることを見出した。なお、従来の一般的な装置では、各画素に対する露光量は一定の決められた値に固定されていた。なお、図３のグラフにおける横軸の１０Ｋ等の「Ｋ」は、１０００の単位を示し、例えば１０Ｋは１万枚を示している。また図３中の実線で示す曲線４３は、複数の印刷装置について印刷枚数の増加に伴う印刷濃度の推移を計測したときの印刷濃度の推移の平均値をグラフにしたものである。図３中の破線で示す曲線４４，４５は、複数の印刷装置について印刷枚数の増加に伴う印刷濃度の推移を計測したときの印刷濃度の推移の上限及び下限をグラフにしたものである。
【００３１】
そこで、本実施形態では、ＭＰＵ１１が、ＳＲＡＭ１７の記憶領域１７１に記憶された露光レベル情報テーブルを用いて、露光ユニット３３による各画素の露光量を印刷枚数の増加に伴って順次変更する。露光レベル情報テーブルには、少なくとも１つ（例えば、複数）の基準印刷枚数と、各基準印刷枚数に個別に対応付けられ、静電潜像を形成する画素の露光量に関する少なくとも１つ（例えば、複数）の露光レベル情報とが対応付けて含まれている。そして、ＭＰＵ１１は、印刷部１９の印刷枚数をカウントし、印刷枚数が基準印刷枚数を超えるごとに、その基準印刷枚数に対応付けられた露光レベル情報に基づいて、露光ユニット３３が感光ドラム３１の表面に静電潜像を形成する際の画素の露光量を変更する。
【００３２】
図４は、露光レベル情報テーブルの一例を示す図である。この図４に示す例では、印刷枚数が５千枚以下のときは、露光ユニット３３による露光量が最大露光量の６０％に設定されている。そして、印刷枚数が、基準印刷枚数である５千枚、１万枚、１万５千枚、２万枚、２万５千枚を超えるごとに、図５のグラフに示すように、露光ユニット３３による露光量が、６２％、６５％、７０％、８０％、９０％と段階的に増加される。なお、この印刷枚数の増加に伴う露光量の増加の割合は、上述の図３の曲線４３等で示される平均的な印刷濃度の低下の仕方に対応して決定されている。
【００３３】
また、ＭＰＵ１１は、操作パネル１５の操作部を介して受け付けた操作に応じて、ＳＲＡＭ１７の記憶領域１７１に記憶された露光レベル情報テーブルに含まれる基準印刷枚数及び露光レベル情報の内容を更新する。
【００３４】
上記のように、印刷枚数の増加に伴う印刷濃度の低下の仕方が平均的である複合機１については、予め設定された露光レベル情報テーブルを用いて露光量を補正すれば対応できる。しかし、上記の図３で示したように、複合機１の印刷枚数の増加に伴う印刷濃度の低下の仕方には複合機１間でバラツキがある。このため、印刷濃度の低下の仕方が平均的な曲線４３から大きく外れる複合機１については、予め設定した露光レベル情報テーブルのみでは印刷濃度を適切に補正できない。
【００３５】
そこで、本実施形態では、印刷枚数が所定枚数に到達したときにテスト印刷を行い、その結果を用いて露光量の補正を行う。より詳細には、ＳＲＡＭ１７の記憶領域１７２には、テスト印刷に関するテスト印刷情報が記憶されている。このテスト印刷情報には、テスト印刷を行うべきタイミングを決定する印刷枚数情報、テスト印刷の際のテスト画像に関するテスト画像情報、及び、テスト印刷の結果を用いて露光量を補正する際の補正量に関する情報等が含まれている。テスト印刷の際には、例えば図６に示すようなテスト画像が印刷される。
【００３６】
ＭＰＵ１１は、ＳＲＡＭ１７の記憶領域１７２に記憶されたテスト印刷情報に基づいてテスト印刷に関する制御を行う。具体的には、ＭＰＵ１１は、印刷枚数をカウントし、印刷枚数が所定枚数に到達したときに、印刷濃度の調節を促すメッセージを操作パネル１５の表示部に表示させる。そして、ＭＰＵ１１は、操作パネル１５の操作部を介して印刷濃度の調節の指示が入力された場合に、印刷部１９に例えば図６に示すテスト画像を用紙に印刷させる。
【００３７】
続いて、ＭＰＵ１１は、そのテスト画像が印刷された用紙が読取部１４にセットされ、操作パネル１５の操作部のスタートボタンが操作されるのに応じて、読取部１４に画像の読み取りを行わせる。そして、そのテスト画像の読み取り結果に基づいて印刷濃度を検出し、印刷濃度が適正な範囲内にあるか否か（露光量の補正の要否）について判定する。印刷濃度が適正な範囲内にない場合には、ＭＰＵ１１は、上述の露光レベル情報テーブルによって決定された露光量を、検出した印刷濃度の適正レベルからのずれ量に応じて増加又は減少させて補正する。このとき、その時点における印刷枚数に応じて露光レベル情報テーブルにより決定されている露光量のみを補正してもよく、あるいは、露光レベル情報テーブルに含まれる全ての露光レベル情報をテスト印刷の結果に基づいて補正（更新）してもよい。なお、テスト印刷の結果、印刷濃度が適正な範囲内にある場合には、露光レベル情報テーブルによって決定された露光量の補正をしなくてもよい。
【００３８】
これによって、印刷濃度の低下の仕方が平均的な曲線４３から大きく外れる複合機１についても、印刷枚数の増加に伴う印刷濃度の低下を適切に補正できる。
【００３９】
以上のように本実施形態によれば、印刷枚数の増加に伴って露光量が段階的に増加されるため、印刷枚数の増加により印刷濃度が低下するのを防止して良好な印刷品質を維持できる。露光量の変更は、ＳＲＡＭ１７の記憶領域１７１に記憶された露光レベル情報テーブルに基づいてＭＰＵ１１の制御により行われるため、ハードウェア構成を複雑にすることなく、印刷枚数の増加に応じて印刷濃度を容易に補正できる。また、露光レベル情報テーブルに含まれる基準印刷枚数及び露光レベル情報を更新することにより、ハードウェア構成を変更することなく、印刷枚数と露光量の補正量との関係を容易に変更できる。
【００４０】
また、操作パネル１５に対する操作により、ＳＲＡＭ１７に記憶された露光レベル情報テーブルの内容を容易に更新できる。
【００４１】
また、ＳＲＡＭ１７に記憶された露光レベル情報テーブルに基づいて決定された露光量が、テスト印刷によるテスト画像の読み取り結果に基づいて補正されるため、複合機１ごとの特性のバラツキ等に応じて印刷濃度を的確に補正できる。
【００４２】
また、印刷枚数が所定枚数に到達したときに印刷濃度の調節を促すメッセージが表示されるため、印刷枚数に応じた適切なタイミングでテスト印刷を用いた露光量の補正を行える。
【００４３】
なお、上述の実施形態では印刷部１９がモノクロ印刷を行うモノクロ印刷部である場合について説明したが、印刷部１９がカラー印刷を行うカラー印刷部であってもよい。この場合、印刷部１９には、図７に示すように、ブラック、シアン、マゼンタ及びイエローの各色ごとに、感光ドラム３１１〜３１４及び露光ユニット３３１〜３３４等が４組備えられる。
【００４４】
この場合における印刷枚数の増加に伴う印刷濃度の補正を行うための構成としては、次の第１又は第２の構成が採用できる。第１の構成では、ブラックの露光ユニット３３１については、上記の露光レベル情報テーブルを設け、その露光レベル情報テーブルを用いて印刷枚数に応じて露光量を変更する。他のシアン、マゼンタ及びイエローの露光ユニット３３２〜３３４については、ブラック用の露光レベル情報テーブルによって決定されるブラックの露光ユニット３３１の露光量の変更割合と同様な割合で、露光ユニット３３２〜３３４の露光量を変更する。同様に、テスト印刷を用いた露光量の補正も、ブラックの露光ユニット３３１の露光量について決定及び適用された補正割合が、他のシアン、マゼンタ及びイエローの露光ユニット３３２〜３３４の露光量の補正に適用される。この第１の構成による利点は、シアン、マゼンタ及びイエローについては印刷枚数の増加に伴う露光量の変更又は補正に関する独自の情報等を備える必要がなく、構成の簡略化が図れる点である。
【００４５】
第２の構成では、露光レベル情報テーブルをブラック、シアン、マゼンタ及びイエローの各色の露光ユニット３３１〜３３４に個別に対応して設け、印刷枚数の増加に伴う印刷濃度の補正を各色ごとに独立して行う。同様に、テスト印刷を用いた露光量の補正も、各色のテスト画像が含まれたテスト画像が印刷され、各色ごとに独立して行われる。この構成による利点は、印刷枚数の増加に応じて、各色の特性に応じたきめ細かな印刷濃度の補正を行える点である。
【図面の簡単な説明】
【００４６】
【図１】本発明の一実施形態に係る画像形成装置としてのファクシミリ複合機のブロック図である。
【図２】印刷部の構成を模式的に示す図である。
【図３】印刷枚数の増加に伴って印刷濃度が低下する様子を示すグラフである。
【図４】露光レベル情報テーブルの一例を示す図である。
【図５】図１のファクシミリ複合機において印刷枚数の増加に伴って露光量が段階的に増加される様子を示すグラフである。
【図６】テスト印刷によって印刷されるテスト画像を示す図である。
【図７】図１のファクシミリ複合機の変形例に備えられるカラー印刷部の感光ドラム及び露光ユニットの構成を模式的に示す図である。
【符号の説明】
【００４７】
１  ファクシミリ複合機
１１  ＭＰＵ
１４  読取部
１５  操作パネル
１７  ＳＲＡＭ
１９  印刷部
３１,３１１〜３１４  感光ドラム
３３,３３１〜３３４  露光ユニット
【図１】
2009199012.tif 000003
【図２】
2009199012.tif 000004
【図３】
2009199012.tif 000005
【図４】
2009199012.tif 000006
【図５】
2009199012.tif 000007
【図６】
2009199012.tif 000008
【図７】
2009199012.tif 000009
【手続補正書】
【提出日】平成20年4月9日(2008.4.9)
【手続補正１】
【補正対象書類名】明細書
【補正対象項目名】００２３
【補正方法】変更
【補正の内容】
【００２３】
複合機１は、制御部としてのＭＰＵ（Micro Processing Unit）１１、ＮＣＵ（NetworkControl Unit）１２、モデム（MODEM）１３、読取部１４、操作パネル１５、ＲＯＭ（Read Only Memory）１６、記憶部としてのＳＲＡＭ（Static Random Access Memory）１７、画像メモリ１８、及び印刷部１９等を備えている。この複合機１に備えられる機能には、プリンタ機能、ファクシミリ機能、コピー機能、及びスキャナ機能等が含まれる。
【手続補正２】
【補正対象書類名】図面
【補正対象項目名】図７
【補正方法】変更
【補正の内容】
【図７】
2009199012.tif 000010